(57)【特許請求の範囲】
【請求項１】
セカンダリ局を動作させるための方法であって、前記セカンダリ局はプライマリ局と通信するための通信手段を有し、当該方法は、
（ａ）複数の利用可能な動作プロファイルからの動作プロファイルの第1サブセットを前記セカンダリ局から前記プライマリ局に通知し、
（ｂ）イベントに応じた動作プロファイルの前記第1サブセットからの少なくとも１つの好ましい動作プロファイルを前記セカンダリ局から前記プライマリ局に通知する、方法。
【請求項２】
前記イベントは、現在の動作プロファイルを変更するための前記プライマリ局からの要求を前記セカンダリ局が受信することを含む、請求項１に記載の方法。
【請求項３】
前記イベントは、
前記セカンダリ局のバッテリーに残っているエネルギーが予め定められたレベルを下回ること、
前記セカンダリ局が永続的電源に接続されること、
前記セカンダリ局が特定の位置に入ったこと、
前のプライマリ局との通信から現在のプライマリ局との通信へのハンドオーバ、
特定のサービスの起動、
特定のサービスの停止、
前記セカンダリ局のユーザが好ましい動作モードを要求したこと、
前記セカンダリ局が利用可能なハードウェア・リソースの変更、
のうちの少なくとも１つを含む、請求項１に記載の方法。
【請求項４】
前記永続的電源が電気幹線である、請求項３に記載の方法。
【請求項５】
前記現在のプライマリ局及び前記前のプライマリ局の少なくとも１つは、リレー又はフェムトセル・プライマリ局である、請求項３又は請求項４に記載の方法。
【請求項６】
ステップ（ｂ）が、好ましい動作モードを表すインデックスを送信することを含む、請求項１から請求項５のいずれか一項に記載の方法。
【請求項７】
前記セカンダリ局がさらに、好ましいプロファイルとともに使用されるべき少なくとも１つの好ましいパラメータ値を送信する、請求項６に記載の方法。
【請求項８】
前記好ましいパラメータ値は、MIMOにおいて用いられるアンテナ数、好ましいデータ速度、キャリアの最大数、１つ以上の好ましい動作帯域のうちの少なくとも１つである、請求項７に記載の方法。
【請求項９】
ステップ（ａ）の前に、前記セカンダリ局が従うことが可能な前記複数の利用可能な動作プロファイルのリストを前記セカンダリ局が前記プライマリ局に送信する、請求項１から請求項８のいずれか一項に記載の方法。
【請求項１０】
前記好ましい動作プロファイルの少なくとも１つが、GSM規格、UMTS規格及びLTE規格のうちの１つを使用する、請求項１から請求項９のいずれか一項に記載の方法。
【請求項１１】
前記プライマリ局からの許可に応じて好ましい動作プロファイルを使用するステップ（ｃ１）をさらに有する、請求項１から請求項１０のいずれか一項に記載の方法。
【請求項１２】
前記許可は、タイムアウトの経過、アクノリッジメント・メッセージ、前記好ましい動作プロファイルにおいて使用されるパラメータ値の通知のうちの１つから推定される、請求項１１に記載の方法。
【請求項１３】
前記プライマリ局からの指示に応じて好ましい動作プロファイルを使用するステップ（ｃ２）をさらに有する、請求項１から請求項１２のいずれか一項に記載の方法。
【請求項１４】
前記指示が、好ましい動作プロファイルを表わすインデックスを送信することを含む、請求項１３に記載の方法。
【請求項１５】
前記プライマリ局からの却下メッセージ又はタイムアウト経過に応じて前に使用されていた動作プロファイルに戻るステップ（ｃ３）をさらに有する、請求項１から請求項１４のいずれか一項に記載の方法。
【請求項１６】
前記セカンダリ局が、前記少なくとも１つの好ましい動作プロファイルを確認する若しくは却下する、又は、ステップ（ｂ）において前記セカンダリ局によって通知された前記好ましい動作プロファイルの１つを示す、又は、ステップ（ｂ）において前記セカンダリ局によって通知された前記少なくとも１つの好ましい動作プロファイルに代わる更なる動作プロファイルを示す、応答信号を前記プライマリ局から受信する、請求項１から請求項１５のいずれか一項に記載の方法。
【請求項１７】
ステップ（ａ）が、動作プロファイルの前記第１サブセットを表す１セットのインデックスを送信することを含む、請求項１から請求項１６のいずれか一項に記載の方法。
【請求項１８】
前記セカンダリ局が、少なくとも２つのキャリアを用いた同時通信をサポートすることができる、請求項１から請求項１７のいずれか一項に記載の方法。
【請求項１９】
前記少なくとも２つのキャリアの各々がそれぞれ１つの規格を用いる、請求項１８に記載の方法。
【請求項２０】
前記規格が、GMS、UMTS、LTE又はCDMA2000である、請求項１９に記載の方法。
【請求項２１】
前記イベントは、前記セカンダリ局の動作要求における変化に対応し、前記セカンダリ局によって検出される、請求項１記載の方法。
【請求項２２】
プライマリ局と通信するための通信手段を有するセカンダリ局であって、前記通信手段は、前記プライマリ局に通知済みの、複数の利用可能な動作プロファイルからの動作プロファイルの第1サブセットの中から、イベントに応じた少なくとも１つの好ましい動作プロファイルを選択して送信するように用意される、セカンダリ局。
【請求項２３】
セカンダリ局と通信するための通信手段であって、前記セカンダリ局から受信済みの、複数の利用可能な動作プロファイルからの動作プロファイルの第1サブセットの中から、イベントに応じた少なくとも１つの好ましい動作プロファイルを前記セカンダリ局から受信するように用意された通信手段、及び、前記好ましい動作プロファイルに従って前記通信手段が適応される必要があるかを決定するための制御手段を有する、プライマリ局。
【発明の詳細な説明】
【技術分野】
【０００１】
本発明は、少なくとも１つのセカンダリ局と通信するプライマリ局を含むモバイル通信ネットワークにおいて通信するための方法に関する。
【０００２】
本発明は、例えば、モバイル遠距離通信ネットワーク、又は、例えば携帯端末装置若しくは無線センサ・ノードである無線局を含む他のネットワークに関連する。
【背景技術】
【０００３】
GSM、UMTS又はLong Term Evolution(LTE)ネットワークのようなモバイル通信ネットワークにおいて、図1に説明されるように、プライマリ局100は複数のセカンダリ局110と通信する。これらのセカンダリ局110は、一般的に、通信装置112に電力を供給するバッテリー111を含む携帯端末装置である。バッテリーのサイズを増加させることなくセカンダリ局の動作時間を延ばすために、セカンダリ局(又は使用者機器(UE))の電力消費を低減することが現在望まれている。更に、バッテリー充電が消耗した場合、残りのエネルギーを使い果たすよりはむしろ、例えば、性能が低下した又はサポートされるサービスが少ない動作である、より制限された形態を採用することによって、更に電力を低減して、エネルギーを節約することが、多くの場合望ましい。
【０００４】
例えば、プライマリ局に電力制限インジケータを送信することが考えられ、その目的は、セカンダリ局がプライマリ局及び固定ネットワークに、限られた電力利用可能性の状態を示すことを可能にすることである。これらのインジケータは、セカンダリ局110bのような本線給電される装置とバッテリー駆動型である装置とを区別するため又は低電圧ステータスを示すために用いられることができる。
【０００５】
セカンダリ局は、初めて登録するときに(そしてその後は稀な機会に)、UE機能情報要素又はUEカテゴリを介して固定のネットワークにその能力を示す。この情報は、例えば、UE Rxアンテナの数及びUEが受信することができる最大のデータ速度を含むことができる。固定のネットワークは、したがって、UEが物理的に何を実行することが可能であるかの情報を有し、ネットワーク要求及び容量、データ・デリバリー要求並びにUE自身の演算限界に従って機能するようにUEに指示することができる。
【０００６】
プライマリ局又は固定のネットワークが意味ある態様で堅実に応答することを可能にする態様で、ステータスの変化を通知するための閾値を定めることは難しいことが留意されるべきである。50%のバッテリー容量は送信されるべきか？20%は？10%は？バッテリー容量がバッテリ・サイズ、技術及び経年劣化のようにセカンダリ局によって変化するならば、そしてセカンダリ局の電力消費が実施態様の詳細に幾分依存するならば、例えば、「50%のバッテリー容量」がセカンダリ局にとって実際に何を意味するのかは明確ではない。それがユーザにとって何を意味するのかも同様に明確ではない。ユーザはセカンダリ局を充電することが可能であることを期待するのか、又は、可能な限りエネルギー消費を節約することを好むのか？
【０００７】
バッテリー電力の不足と同様に、端末の利用可能な信号処理電力又は信号受信能力は、さらに、他のイベントが発生したかどうか、又は、（MBMS若しくは他の送信の受信あるいはビデオ・カメラの出力の処理のような）機能が現在使用されているか否かに依存する可能性がある。
【発明の概要】
【発明が解決しようとする課題】
【０００８】
セカンダリ局リソースの、そして特定の実施の形態ではバッテリー残存電荷の管理に関する更なる柔軟性を提供する、セカンダリ局を動作させるための方法を提案することが本発明の目的である。
【０００９】
セカンダリ局が現在の状況に適応された動作モードに従って動作するモバイル通信システムを提案することが本発明の他の目的である。
【００１０】
セカンダリ局が、明示的に、柔軟に、そして明確に、その現在の動作優先度及び能力が何かを固定のネットワークに示すことを可能にするメカニズムを提供することが本発明の目的である。例えば、それがどれ程電力を節約することを望むか、又は、全ての端末処理電力が現在利用可能であるか。ユーザの好みが考慮されることを可能にすることも本発明の目的である。異なる能力を有するセカンダリ局の実施態様に適合するように、提案されたメカニズムが範囲内で適応されることを可能にすることも本発明の目的である。
【課題を解決するための手段】
【００１１】
セカンダリ局を動作させるための方法によれば、前記セカンダリ局はプライマリ局と通信するための通信手段を有し、当該方法は、
(a)セカンダリ局が、複数の利用可能な動作プロファイルから、動作プロファイルの第１サブセットを通知し、
(b)セカンダリ局が、イベントに応じた動作プロファイルの第１サブセットからの少なくとも１つの好ましい動作プロファイルを通知する。
【００１２】
その結果として、セカンダリ局が新たな動作プロファイルに従って動作することを必要とするときに、イベントを通知する代わりに、それは、適切な動作プロファイルをすでに選択していることができる。そして、プライマリ局は、承認するか又は却下することができ、あるいは他の動作プロファイルを提案することができる。これは、より高い柔軟性及び信号伝達効率を可能にする。したがって、セカンダリ局は、遭遇する状況及び利用可能な能力に関して適切な動作プロファイルを適時に提案することができる。
【００１３】
本発明は、プライマリ局と通信するための通信手段を有するセカンダリ局にも関し、通信手段は、イベントに応じた複数の利用可能な動作プロファイルからの少なくとも１つの好ましい動作プロファイルの指示を送信するように用意される。
【００１４】
本発明の他の態様によれば、セカンダリ局と通信するための通信手段であって、イベントに応じた複数の利用可能な動作プロファイルからの少なくとも１つの好ましい動作プロファイルをセカンダリ局から受信するように用意される通信手段、及び、好ましい動作プロファイルに従って通信手段が変更されることを必要とするかどうかを決定するための制御手段を有するプライマリ局が提案される。
【００１５】
本発明のこれらの及び他の態様は、以下に説明される実施の形態から明らかであり、それらを参照して説明される。
【００１６】
ここで、本発明は、添付の図面を参照してさらに詳細に一例として説明される。
【図面の簡単な説明】
【００１７】
【図１】すでに説明された本発明が実施されるシステムのブロック図。
【図２】本発明の実施の形態による方法を表すフローチャート。
【図３】本発明の実施の形態による動作プロファイルを変更するための要求を概略的に表す図。
【発明を実施するための形態】
【００１８】
本発明は、図1に説明されるようなネットワークに関する。前に説明されたように、このネットワークは、複数のセカンダリ局110と通信するプライマリ局100を含む。これらのセカンダリ局110は、一般的に、通信装置112に電力を供給するバッテリー111を含む携帯端末装置である。プライマリ局100とセカンダリ局の間の通信は、ダウンリンク及びアップリンク・チャネルで行われる。技術の発展によって、そして特に、UMTSのLong Term Evolutionによる遠距離通信にとって、いくつかの異なる送信モードが可能である。例えば、LTEにおいて、MIMO通信は、プライマリ局及びセカンダリ局のアンテナのアレイのおかげで可能である。しかしながら、これらの送信モードは、必ずしも利用可能であるとは限らない多量のリソース及びエネルギーを必要とする場合がある。例えば、図1において、セカンダリ局110aはバッテリー残量が少なく、使用される通信モードがエネルギーを喰う場合、すぐにバッテリーを使い果たす可能性がある。
【００１９】
逆に、セカンダリ局110bは、現在、電気本線のようなエネルギー源に接続されており、エネルギーを節約する必要はない。
【００２０】
その結果として、本発明の実施の形態によれば、セカンダリ局は、ここではプライマリ局100である固定のネットワークに、１つ若しくは複数の他の能力セット/プロファイル又は動作プロファイルを示すことによって、その現在の能力の１つのセットを補充する。動作プロファイルのこのセットは、既存のUE能力又は可能な動作プロファイルの完全なセットのサブセットである。そのうえ、この実施の形態のオプションの変形例において、セカンダリ局は、好ましいパラメータ値又は最大の到達可能なパラメータ値のように追加的な情報を含むことができる。セカンダリ局は、その時、そして将来の機会に、その動作要求が変化したので、１つの能力セット/プロファイルから別のものに切り替えたいことを固定のネットワークに示すことができる。固定ネットワークの期待される動作は、可能であれば、(次のフレームの始まり/他のタイミング時期から)セカンダリ局によって提案される制限を考慮に入れることである。
【００２１】
セカンダリ局が、プロファイル全体ではなく、プロファイルのインデックス又は指示のみを通知することが可能である。これは、特に動作プロファイルが頻繁に変更される場合、シグナリング・オーバヘッドに関して、完全なプロファイルの詳細を送るよりも効率的である。しかしながら、これは、プロファイルが予め定められていて、プライマリ局及びセカンダリ局におけるプロファイル・ライブラリに記憶されることか、又は、プロファイルが初期化フェーズにおいて確立されることを必要とする。これは、これらがセカンダリ局の経時変化又は新たなオペレーティングシステムがそのようなセカンダリ局にインストールされる時に適応することができるので、プロファイルの実装における更なる柔軟性を提供する。しかしながら、これは、重大な量のリソースによる非常に長い初期化フェーズを必要とする可能性があり、再接続ごとに繰り返されることを必要とする可能性がある。
【００２２】
図2に説明される後者のソリューションによれば、ステップS200において、セカンダリ局110はネットワークに入る。例えば、携帯電話が、スイッチをオンにされるか、又は、異なるプロファイルを用いて選択する可能性を与えるプライマリ局100によって取り扱われるセルに入る。ステップS200の間、セカンダリ局110が、固定のネットワーク、ここではプライマリ局100によって登録される。登録後、プライマリ局は、中央データベースに又はプライマリ局S201の記憶装置に登録されたこのセカンダリ局に対応する動作プロファイルが記憶されたかどうかを確認する。記憶された場合、方法は動作フェーズに直接進む。そうでない場合、セカンダリ局は、初期化フェーズにとどまり、ステップS202においてプライマリ局100に動作プロファイルのリストを送信する。この実施の形態の変形例において、セカンダリ局は、単に、通信装置のモデル又はブランドに関する詳細を提供する。そして、プライマリ局は、例えばセカンダリ局製造者からの当該セカンダリ局110に対応する動作プロファイルのリストをデータベースから見つけ出すことができる。
【００２３】
一旦プライマリ局100がセカンダリ局に対応する動作プロファイルのリストを得ると、セカンダリ局110は動作フェーズにS203に入る。デフォルトで、セカンダリ局は、デフォルトのプロファイルを用いる。初期化フェーズの間、異なる動作プロファイルを求めて、セカンダリ局がこの動作プロファイルによって直接動作することも可能である。
【００２４】
そして、ステップS204において、セカンダリは、その動作プロファイルを変更することを望むことを引き起こす特定のイベントに遭遇する。この実施の形態によれば、新たなプロファイルは、セカンダリ局側で発生しているイベントに基づいてセカンダリ局によって好ましいプロファイルとして選択される。そして、セカンダリ局は、セカンダリ局が将来用いる予定である好ましいプロファイルをプライマリ局又は固定のネットワークに通知することができる。新たなプロファイルのこの選択及びシグナリングをトリガするこのイベントは、以下のうちの１つの変更を含むことができる。
・本線/バッテリー電源：セカンダリ局がちょうど本線に接続された（又は本線から切り離された）。
・利用可能なバッテリー電力レベル:バッテリー電力充電がちょうど予め定められた閾値又はきわめて低いレベルに達した。このレベルは、好みによって調節するユーザによって設定されることができる。
・ユーザ要求
・料金
・位置
・ハンドオーバ
・MBMSの活性化
・データ速度の変化
・サービス要求(例えば、MBMSのための性能最適化)
・ハンドオーバ要求
・フェムト・セル又は中継カバレージ領域内の動作
・ネットワーク・サービス又はトラフィック管理要求
・ネットワーク電力管理要求
【００２５】
そのようなトリガにより、ステップS205において、セカンダリ局は、プロファイルを（例えば特定のプロファイルに）変更する要求を生成する。変形例において、このイベントにより、ネットワークは、セカンダリ局に好ましいプロファイルを示すことを要求する。
【００２６】
新たな動作プロファイルに対するそのような要求の例は図3に表される。この動作プロファイルは、制御チャネルで又はより高次のシグナリングによって、通知されることができる。したがって、それがUEに固有ではないリソースを用いる場合、それはセカンダリ局を特定するプリアンブル301を必要とする。そして、要求は、好ましい動作プロファイルを表わすインデックス302を有することができる。動作プロファイルのいくつかのパラメータ値に関してこの要求中に更なるフィールド303を有することも可能である。実際、プロファイルのより緻密な調整を得るために、MIMO送信における通信ストリームの数又は達成可能な最大のデータ速度に対する制限を示すことが可能である。そのうえ、図3の特定の例示的な要求において、現在用いられている前の動作プロファイルの指標304を有することが可能である。
【００２７】
図3の例において、１つの好ましい動作プロファイルのみが通知された。しかしながら、本発明の他の実施の形態では、例えば好ましい順序による好ましいプロファイルのリストを通知することが可能である。
【００２８】
他の変形例では、学習フェーズにおいて、対応するインデックスによって完全に好ましいプロファイルを示すことが可能である。これは、リソースの大きな要求を動作プロファイルの最初の変更に分配することを可能にする。それゆえ、一旦セカンダリ局がプロファイルを用いて通知すると、それは単にインデックスを用いる。他の変形例において、セカンダリ局は、インデックスを用いることにより好ましい動作プロファイルを要求し、プライマリ局は、これらのインデックスが未知であるか又は中央データベース若しくは内蔵の記憶装置から読み出されることができない場合、プロファイルの完全な記述を必要とする。
【００２９】
一旦プライマリ局100がステップS205で送られる動作プロファイルを受信すると、プライマリ局は、この要求がステップS206で受諾されるべきかどうかを決定する。それが受諾されない場合、プライマリ局は、セカンダリ局によって用いられる必要がある動作プロファイルを通知することができる。例えば、セカンダリ局が変更しないように、それは現在のプロファイルを再び通知する。或いは、それは、ステップS207において用いられるべき新たな動作プロファイルを通知することができる。動作プロファイルはわずか数ビットのフラグによって示されることができ、それは完全に新たなプロファイルを通知することよりずっと効率的である。これは、図3に表される変更のための要求と非常に似た通知メッセージによって実行されることができる。ステップS205でセカンダリ局によって通知された好ましいプロファイルが合意される場合、確認応答がステップS208で送信されることができる。
【００３０】
原則として、このメカニズムは、セカンダリ局が動作要求を考慮することを可能にする、より精密な制御を提供する。プロファイルは、以下に関する指標を含むことができる。
・本線/バッテリー電源
・利用可能なバッテリー電力レベル
・好ましいDRXサイクル長
・(UL及びDLにおいて)サポートされるデータ速度
・Tx/Rxアンテナの数
・サポートされる動作帯域
・FDD/TDD/半二重のサポート。
・(例えば異なる帯域において)サポートされる集合キャリアの数
・サポートされる変調モード
・サポートされるMIMOモード
・サポートされるMBMSデータ速度
・ハンドオーバ能力
・排他的なユーザグループのサポート
・(干渉抑圧のために必要とされる処理に影響を与える)干渉環境
・フェムト・セル又は中継カバレージ領域内の動作
【００３１】
リリース10以上において拡張される場合であっても、いくつかの動作要求は現在のUE能力IEによって適切に表現されないかもしれない。したがって、能力セットは、例えば、CAにおいて用いられるキャリアの最大の数、MIMO動作において用いられるアンテナの数及び当業者にとって明らかである他の特徴のような特徴の好ましい動作を定めるために拡張される。
【００３２】
更に、アップロードされる能力セットは、UE能力IEのフォーマットから独立に定められることができる。
【００３３】
本発明は、利用可能なバッテリー電力に基づく無線技術選択に適用されることができる。例えば、低電力音声通話を維持するためのLTEからGSMへのスイッチングである。
【００３４】
使用者は、優先度を選択することを可能にされることができる(例えば、電力を消費するアプリケーションを継続するために、電力節約を無効にする)。
【００３５】
他の実施の形態は、LTE-Aのようなシステムを含む。以下のステップが実行される。
・登録の際に(又は他の時に)、UEは、基本的な能力を示すカテゴリを通知する
・ネットワークからの要求に応じて、UEは、複数の能力プロファイル及び好ましいプロファイルの指標を通知する
・ネットワークは、各々のプロファイルを受諾するか又は却下することができる
・ネットワークは、変更された又は代わりのプロファイルを通知することができる
・ネットワークは、どのプロファイルが更なる動作のために用いられるかを確認する
・トリガ条件に達すると、UEは、ネットワークに好ましいプロファイルの指標を通知する
・指標は、物理層シグナリングによって効率的に伝達されることができる
・指標は、L2又はL3シグナリングによって確実に伝達されることができる
・ネットワークは、どのプロファイルが用いられるかを確認する
【００３６】
全ての上記ステップが、達成されるべき本発明の技術的効果のために必須ではないことに注意されたい。
【００３７】
バリエーションとして、能力プロファイルは、デフォルトで、セカンダリ局カテゴリから導き出される。
【００３８】
更なるバリエーションとして、UEは、新たな又は更新プロファイルのアップロードを要求することができる。
【００３９】
更なるバリエーションとして、ネットワークは、プロファイル選択を確認しない。
・ネットワークは、それでもやはり要求されたプロファイル又は代替物を起動させることができる
・したがって、ネットワークはUE要求を無視することができる
【００４０】
更なるバリエーションとして、トリガ条件に達すると、ネットワークは、UEに新たなプロファイルの指標を通知することができる。
・例えば、トラフィック若しくは電力管理を可能にするために、又は他のサービス要件のために、ネットワークは、利用可能なUE機能を制限することによって、不必要なシグナリングを低減することができる。
【００４１】
更なるバリエーションとして、プロファイルは、タイムアウト期間の後、デフォルトの値に戻る。
【００４２】
更なるバリエーションとして、現在のUE構成がプロファイルによって可能にされる能力を超える場合、プロファイルは選択されることができない。
・ネットワークは、プロファイルを無視するか又は却下することができる。
・ネットワークは、UE再構成が終わるまでプロファイルを記憶することができる。
【００４３】
更なるバリエーションとして、新たなプロファイルは、即時にではなく、明確に定義された時点において実施される。
・フレーム又はサブフレーム境界において
・Uプレーン・トラフィック転送中のブレークにおいて(接続が再構成されることができるときに)
【００４４】
他の実施例において、１つ以上のプロファイルの詳細は、暗黙に(すなわち明示的なシグナリング無しで)決定されることができる。ダウンリンク送信に関する例において、LTE-Advancedの場合、セカンダリ局は、所与の合計ビットレートをサポートすることができること、さらに複数のLTEキャリア(すなわち、示された数のキャリアを有する、キャリア集合)によって同時に動作することができること、そして、さらにLTE及び１つ以上の更なる無線技術(例えばCDMA2000)と同時に動作することができることをネットワークに通知することができる。この例では、１つのプロファイルは、(任意の他の無線技術の同時使用なしで)通知されたキャリア集合であるLTEキャリア集合を用いて複数のキャリアがサポートされることができる合計ビットレートに対応することができる。他のプロファイルは、(他の無線技術のための予め定められた量より小さい)合計ビットレート、及び、(他の無線技術のために必要とされるキャリアの数より小さい)LTEキャリア集合のための複数のキャリアに対応することができる。セカンダリ局は、現在どのプロファイルが適用可能であるかをネットワークに通知することができる。
【００４５】
この実施の形態のバリエーションにおいて、セカンダリ局は(例えば、ネットワークに接続するときに)、プロファイル間で後で切り替えることができることを示す。セカンダリ局挙動(例えば、付与された送信リソースが実際に用いられるかどうか)を監視することによって、ネットワークは、セカンダリ局がどのプロファイルを現在使用しているかを決定することが可能である場合がある。このアプローチは、プロファイルの詳細が明示的に通知されるか暗黙に通知されるかに関わらず、用いられることができる。したがって、現在用いられるプロファイルを知らせるために、それがプライマリ局によって推測されるので、いかなるリソースも用いられない。
【００４６】
更なるバリエーションにおいて、現在のプロファイルの、又は、UEがプロファイルを変更する可能性があることの、ネットワークへの明示的な指標は存在しないが、システム設計は、特定の能力を有するUEの少なくともサブセットがプロファイルを切り替える可能性があることをネットワークが知っているように設計される。ネットワークは、どのプロファイルにUEが従うかを特定し、しかるべく(例えば適切なリソース割り当てによって)反応することができる。
【００４７】
本発明は、UMTS LTE及びUMTS LTE-Advancedのようなモバイル遠距離通信システムに適用可能であるが、限られた能力を持つ無線局を備える任意の通信システムに対する幾つかの変形例においても適用可能である。
【００４８】
本明細書及び請求の範囲において、単数として表された要素は、そのような要素が複数存在することを除外しない。さらに、「有する」「含む」などの用語は挙げられたもの以外の他の要素又はステップの存在を除外しない。
【００４９】
請求の範囲において括弧中に参照符号が含まれることは、理解を助けることを目的としており、制限すること意図しない。
【００５０】
本開示を読むことから、他の変形例が当業者にとって明らかとなるだろう。そのような変形例は、無線通信の技術において既に知られた他の特徴を含む場合がある。
【図１】
0005932773.tif 000002
【図２】
0005932773.tif 000003
【図３】
0005932773.tif 000004